(57)【要約】【課題】  予めＩＰアドレスが付与されていない移動局装置に対してＩＰ着信があった場合に、ＩＰ通信を開始することを可能にすること。【解決手段】  通信装置３２と移動局装置２１とを含み、通信装置３２から移動局装置２１に対しＩＰ通信要求信号を送信することにより、通信装置３２と移動局装置２１がＩＰ通信を開始する通信システム１において使用されるＮＡＳ２３であって、通信装置３２から、移動局装置２１の識別情報を含むＩＰ通信要求信号を受信し、前記受信されたＩＰ通信要求信号に含まれる識別情報により示される移動局装置２１に対し、一斉呼び出しを行うための処理を行い、移動局装置２１から前記一斉呼び出しに対する応答信号を受信した場合、移動局装置２１に対しＩＰアドレスを付与するための処理を行い、前記付与したＩＰアドレスに対し、前記受信したＩＰ通信要求信号を送信する、ことを特徴とする。【選択図】        図１
2006279899.tif 000002
【特許請求の範囲】
【請求項１】
第１の通信装置と、移動体通信システムにおいて移動局装置として使用される第２の通信装置と、を含み、該第１の通信装置から該第２の通信装置に対しＩＰ通信要求信号を送信することにより、該第１の通信装置と該第２の通信装置がＩＰ通信を開始する通信システムにおいて使用されるネットワークアクセスサーバ装置であって、
前記第１の通信装置から、前記第２の通信装置の識別情報を含むＩＰ通信要求信号を受信するＩＰ通信要求信号受信手段と、
前記受信されたＩＰ通信要求信号に含まれる識別情報により示される前記第２の通信装置に対する一斉呼び出しを行うための処理を行う一斉呼び出し手段と、
前記第２の通信装置から前記一斉呼び出しに対する応答信号を受信した場合、該第２の通信装置に対しＩＰアドレスを付与するための処理を行うＩＰアドレス付与手段と、
前記付与したＩＰアドレスに対し、前記受信したＩＰ通信要求信号を送信するＩＰ通信要求信号送信手段と、
を含むことを特徴とするネットワークアクセスサーバ装置。
【請求項２】
請求項１に記載のネットワークアクセスサーバ装置において、
前記受信されたＩＰ通信要求信号に含まれる識別情報により示される前記第２の通信装置にＩＰアドレスが付与されているか否かを判断する判断手段、
をさらに含み、
前記一斉呼び出し手段は、前記判断手段により前記第２の通信装置にＩＰアドレスが付与されていないと判断される場合に、該第２の通信装置に対し一斉呼び出しを行うための処理を行い、
前記ＩＰ通信要求信号送信手段は、前記判断手段により前記第２の通信装置にＩＰアドレスが付与されていると判断される場合に、該付与されているＩＰアドレスに対し、前記受信したＩＰ通信要求信号を送信する、
ことを特徴とするネットワークアクセスサーバ装置。
【請求項３】
第１の通信装置と、移動体通信システムにおいて移動局装置として使用される第２の通信装置と、一斉呼出単位装置と、ネットワークアクセスサーバ装置と、ロケーションレジスタ装置と、を含む通信システムにおいて、
前記ロケーションレジスタ装置は、
前記第２の通信装置の識別情報と、前記一斉呼出単位装置の前記移動体通信システム内における位置を示す位置情報と、を対応付けて記憶する在圏位置記憶手段、
を含み、
前記ネットワークアクセスサーバ装置は、
前記第１の通信装置から、前記第２の通信装置の識別情報を含むＩＰ通信要求信号を受信するＩＰ通信要求信号受信手段と、
前記受信されたＩＰ通信要求信号に含まれる識別情報に対応付けて前記在圏位置記憶手段により記憶される位置情報を取得する一斉呼出単位装置位置情報取得手段と、
前記取得された位置情報により示される位置の一斉呼出単位装置に対し、前記受信されたＩＰ通信要求信号に含まれる識別情報により示される前記第２の通信装置を一斉呼び出しの対象とすることを示す一斉呼び出し要求信号を送信する一斉呼び出し要求手段と、
を含み、
前記一斉呼出単位装置は、
前記一斉呼び出し要求信号を受信する受信手段と、
前記受信した一斉呼び出し要求信号により一斉呼び出しの対象であることが示される前記第２の通信装置についての一斉呼び出しを行うための報知信号を送信するための処理を行う報知信号送信処理手段と、
を含み、
前記第２の通信装置は、
前記報知信号を受信する受信手段と、
前記受信される報知信号に対して応答信号を送信する一斉呼び出し応答手段と、
を含み、
前記一斉呼出単位装置は、
前記第２の通信装置が前記一斉呼び出しに対する応答信号を送信した場合に、前記応答信号を示す信号を前記ネットワークアクセスサーバ装置に送信する送信手段、
をさらに含み、
前記ネットワークアクセスサーバ装置は、
前記送信手段により送信された信号を受信した場合、前記第２の通信装置に対しＩＰアドレスを付与するための処理を行うＩＰアドレス付与処理手段と、
前記付与されたＩＰアドレスと、前記第２の通信装置の識別情報と、を対応付けて前記在圏位置記憶手段に書き込む書込手段と、
前記付与されたＩＰアドレスに対し、前記受信したＩＰ通信要求信号を送信するＩＰ通信要求信号送信手段と、
をさらに含み、
前記ＩＰ通信要求信号を受信した前記第２の通信装置は、前記第１の通信装置との間で、ＩＰ通信を開始する、
ことを特徴とする通信システム。
【請求項４】
第１の通信装置と、移動体通信システムにおいて移動局装置として使用される第２の通信装置と、を含む通信システムにおいて、該第１の通信装置から該第２の通信装置に対しＩＰ通信要求信号を送信することにより、該第１の通信装置と該第２の通信装置がＩＰ通信を開始するためのＩＰ通信開始方法であって、
前記移動体通信システムにおいて、
前記第１の通信装置から、前記第２の通信装置の識別情報を含むＩＰ通信要求信号を受信するＩＰ通信要求信号受信ステップと、
前記受信されたＩＰ通信要求信号に含まれる識別情報により示される前記第２の通信装置に対し、一斉呼び出しを行うための処理を行う一斉呼び出しステップと、
前記第２の通信装置から前記一斉呼び出しに対する応答信号を受信した場合、該第２の通信装置に対しＩＰアドレスを付与するための処理を行うＩＰアドレス付与ステップと、
前記付与したＩＰアドレスに対し、前記受信したＩＰ通信要求信号を送信するＩＰ通信要求信号送信ステップと、
を含む、
ことを特徴とするＩＰ通信開始方法。
【発明の詳細な説明】
【技術分野】
【０００１】
本発明はネットワークアクセスサーバ装置、通信システム、及びＩＰ通信開始方法に関する。
【背景技術】
【０００２】
安価な音声通信手段として、ＶｏＩＰ(Voice over IP)が注目されている。ＶｏＩＰでは、通信制御信号や音声信号はＩＰ(Internet Protocol)パケットに含められ、ＴＣＰ／ＩＰ網上でのＩＰパケットの送受信によりＩＰ通信が行われる。近年では、このようなＶｏＩＰを移動体通信システムに適用しようとするための研究開発も盛んに行われている。
【発明の開示】
【発明が解決しようとする課題】
【０００３】
この移動体通信システムでは、移動局装置がネットワークに常時接続されていることは少なく、通常は待ち受け状態である。このような待ち受け状態では、移動局装置にＩＰアドレスは付与されていない。このような場合、例えばインターネット上のコンピュータから移動局装置に対して、ＩＰ通信の開始を要求するための通信制御信号が送信された（このことを一般に「ＩＰ着信があった」という）としても、ＩＰパケットである通信制御信号や音声信号を移動局装置にＩＰルーティングするために移動体通信システムに備えられるネットワークアクセスサーバ装置は、該移動局装置に該通信制御信号を受信させることができない。このため、ＩＰアドレスが付与されていない移動局装置は、ＩＰ通信を開始することができなかった。
【０００４】
本発明は上記課題を解決するためになされたものであって、その目的の一つは、予めＩＰアドレスが付与されていない移動局装置に対してＩＰ着信があった場合にもＩＰ通信を開始することができるようにするためのネットワークアクセスサーバ装置、通信システム、及びＩＰ通信開始方法を提供することにある。
【課題を解決するための手段】
【０００５】
上記課題を解決するための本発明に係るネットワークアクセスサーバ装置は、第１の通信装置と、移動体通信システムにおいて移動局装置として使用される第２の通信装置と、を含み、該第１の通信装置から該第２の通信装置に対しＩＰ通信要求信号を送信することにより、該第１の通信装置と該第２の通信装置がＩＰ通信を開始する通信システムにおいて使用されるネットワークアクセスサーバ装置であって、前記第１の通信装置から、前記第２の通信装置の識別情報を含むＩＰ通信要求信号を受信するＩＰ通信要求信号受信手段と、前記受信されたＩＰ通信要求信号に含まれる識別情報により示される前記第２の通信装置に対する一斉呼び出しを行うための処理を行う一斉呼び出し手段と、前記第２の通信装置から前記一斉呼び出しに対する応答信号を受信した場合、該第２の通信装置に対しＩＰアドレスを付与するための処理を行うＩＰアドレス付与手段と、前記付与したＩＰアドレスに対し、前記受信したＩＰ通信要求信号を送信するＩＰ通信要求信号送信手段と、を含むことを特徴とする。
【０００６】
本発明によれば、予めＩＰアドレスが付与されていない移動局装置に対してＩＰ着信があった場合に、該移動局装置にＩＰアドレスを付与することができる。このため、移動局装置はＩＰ通信を開始することができる。
【０００７】
また、上記ネットワークアクセスサーバ装置において、前記受信されたＩＰ通信要求信号に含まれる識別情報により示される前記第２の通信装置にＩＰアドレスが付与されているか否かを判断する判断手段、をさらに含み、前記一斉呼び出し手段は、前記判断手段により前記第２の通信装置にＩＰアドレスが付与されていないと判断される場合に、該第２の通信装置に対し一斉呼び出しを行うための処理を行い、前記ＩＰ通信要求信号送信手段は、前記判断手段により前記第２の通信装置にＩＰアドレスが付与されていると判断される場合に、該付与されているＩＰアドレスに対し、前記受信したＩＰ通信要求信号を送信する、こととしてもよい。
【０００８】
従来の移動体通信システムでは、同時に２つの通信を行うことはできない。このため、新たな回線交換着信やパケット着信があった場合、移動局装置が通信中であるか否かを判断し、通信中であれば、新たな着信は切断され、通信中でなければ一斉呼び出しが行われる。これに対し、ＩＰ通信は移動局装置が行う通信の上位層で行われる通信であるため、移動局装置が回線交換通信中又はパケット通信中であるか否かに関わらず、新たなＩＰ着信を行うことが適切である。
【０００９】
本発明によれば、移動局装置にＩＰアドレスが付与されているか否かを判断することにより、移動局装置が回線交換通信中又はパケット通信中である場合を判別している。そして、移動局装置が回線交換通信中又はパケット通信中である場合には既に付与されているＩＰアドレスに対しＩＰ着信を行い、回線交換通信中又はパケット通信中でない場合には一斉呼び出しを行うようにしているので、回線交換通信中又はパケット通信中であるか否かに関わらず、移動局装置は新たなＩＰ通信を開始することができる。
【００１０】
また、本発明に係る通信システムは、第１の通信装置と、移動体通信システムにおいて移動局装置として使用される第２の通信装置と、一斉呼出単位装置と、ネットワークアクセスサーバ装置と、ロケーションレジスタ装置と、を含む通信システムにおいて、前記ロケーションレジスタ装置は、前記第２の通信装置の識別情報と、前記一斉呼出単位装置の前記移動体通信システム内における位置を示す位置情報と、を対応付けて記憶する在圏位置記憶手段、を含み、前記ネットワークアクセスサーバ装置は、前記第１の通信装置から、前記第２の通信装置の識別情報を含むＩＰ通信要求信号を受信するＩＰ通信要求信号受信手段と、前記受信されたＩＰ通信要求信号に含まれる識別情報に対応付けて前記在圏位置記憶手段により記憶される位置情報を取得する一斉呼出単位装置位置情報取得手段と、前記取得された位置情報により示される位置の一斉呼出単位装置に対し、前記受信されたＩＰ通信要求信号に含まれる識別情報により示される前記第２の通信装置を一斉呼び出しの対象とすることを示す一斉呼び出し要求信号を送信する一斉呼び出し要求手段と、を含み、前記一斉呼出単位装置は、前記一斉呼び出し要求信号を受信する受信手段と、前記受信した一斉呼び出し要求信号により一斉呼び出しの対象であることが示される前記第２の通信装置についての一斉呼び出しを行うための報知信号を送信するための処理を行う報知信号送信処理手段と、を含み、前記第２の通信装置は、前記報知信号を受信する受信手段と、前記受信される報知信号に対して応答信号を送信する一斉呼び出し応答手段と、を含み、前記一斉呼出単位装置は、前記第２の通信装置が前記一斉呼び出しに対する応答信号を送信した場合に、前記応答信号を示す信号を前記ネットワークアクセスサーバ装置に送信する送信手段、をさらに含み、前記ネットワークアクセスサーバ装置は、前記送信手段により送信された信号を受信した場合、前記第２の通信装置に対しＩＰアドレスを付与するための処理を行うＩＰアドレス付与処理手段と、前記付与されたＩＰアドレスと、前記第２の通信装置の識別情報と、を対応付けて前記在圏位置記憶手段に書き込む書込手段と、前記付与されたＩＰアドレスに対し、前記受信したＩＰ通信要求信号を送信するＩＰ通信要求信号送信手段と、をさらに含み、前記ＩＰ通信要求信号を受信した前記第２の通信装置は、前記第１の通信装置との間で、ＩＰ通信を開始する、ことを特徴とする。
【００１１】
本発明によれば、一斉呼出単位装置（例えば基地局装置や交換機など。）の位置情報（例えば、一斉呼出単位装置のＩＰアドレスや一斉呼出単位装置に付与された識別番号など。）を、移動局装置の識別情報（例えば電話番号など。）と対応付けて記憶しているので、ネットワークアクセスサーバ装置は、識別情報と対応付けて記憶される位置情報により示される位置に対して一斉呼び出し要求信号を送信することで、該識別情報により示される移動局装置の一斉呼び出しを行うことができる。
【００１２】
また、本発明に係るＩＰ通信開始方法は、第１の通信装置と、移動体通信システムにおいて移動局装置として使用される第２の通信装置と、を含む通信システムにおいて、該第１の通信装置から該第２の通信装置に対しＩＰ通信要求信号を送信することにより、該第１の通信装置と該第２の通信装置がＩＰ通信を開始するためのＩＰ通信開始方法であって、前記移動体通信システムにおいて、前記第１の通信装置から、前記第２の通信装置の識別情報を含むＩＰ通信要求信号を受信するＩＰ通信要求信号受信ステップと、前記受信されたＩＰ通信要求信号に含まれる識別情報により示される前記第２の通信装置に対し、一斉呼び出しを行うための処理を行う一斉呼び出しステップと、前記第２の通信装置から前記一斉呼び出しに対する応答信号を受信した場合、該第２の通信装置に対しＩＰアドレスを付与するための処理を行うＩＰアドレス付与ステップと、前記付与したＩＰアドレスに対し、前記受信したＩＰ通信要求信号を送信するＩＰ通信要求信号送信ステップと、を含む、ことを特徴とする。
【発明を実施するための最良の形態】
【００１３】
本発明の実施の形態について、図面を参照しながら説明する。
【００１４】
図１は、本実施の形態に係る通信システム１の構成図である。同図に示すように本通信システム１は、移動体通信システム２とＩＰ通信システム３とを含み、これらが相互に通信可能に接続されている。
【００１５】
まず、移動体通信システム２について説明する。移動体通信システム２は、移動局装置２１と、基地局装置２２と、ＮＡＳ(Newtwork Access Server, ネットワークアクセスサーバ)２３と、ロケーションデータベース２４と、移動通信網２５と、を含んで構成されている。移動体通信システム２の例としては、例えば携帯電話システムや無線ＬＡＮシステムなどが挙げられる。
【００１６】
移動局装置２１は、アンテナを含む無線通信部と、中央処理部と、記憶部と、を備えるコンピュータである。移動局装置２１は、通信信号又は制御信号を生成し、無線により、複数の基地局装置２２のうちの少なくとも１つに対して送信する。また、複数の基地局装置２２のうちの少なくとも１つから送信される通信信号及び制御信号を受信し、受信した制御信号に応じた所定の処理を行う。
【００１７】
なお、移動局装置２１と基地局装置２２の間では、移動体通信システム２内で固有のアドレスを含むパケットで通信データをカプセル化して通信が行われる。このアドレスは各移動局装置２１及び各基地局装置２２にそれぞれ予め付与されており、以下ではそれぞれ移動局装置ＩＤ、基地局装置ＩＤと称する。
【００１８】
また、移動局装置２１には、後述するＩＰアドレス付与処理によってＩＰアドレスが付与されることがある。ＩＰアドレスが付与された場合、移動局装置２１は、ＩＰパケットによる通信を行う。なお、本実施の形態では、移動局装置２１に付与されるＩＰアドレスは移動体通信システム２内のプライベートアドレスであるとして説明する。
【００１９】
さらに、移動局装置２１には通信システム１内で固有の識別情報が予め付与されており、移動局装置２１と通信を開始しようとする通信装置は、この識別情報を指定して、上記制御信号の１つであるＩＰ通信要求信号を送信する。より具体的には、後述するように、ＳＩＰサーバ３１及びＮＡＳ２３によってＩＰ通信要求信号に含まれる識別情報が移動局装置２１に付与されたＩＰアドレスに変換され、移動局装置２１にルーティングされる。
【００２０】
ＩＰ通信要求信号を受信した移動局装置２１は、該ＩＰ通信要求信号を送信した通信装置との間で通信を開始するべきか否かを判断し、開始する場合、上記制御信号の１つであるＩＰ通信要求応答信号を送信する。このようにして、ＩＰ通信要求信号を送信した通信装置と移動局装置２１との間で通信開始処理が行われ、その後通信が開始される。
【００２１】
以下ではこの識別情報としてＩＰ電話番号を使用する。ＩＰ電話番号としては、例えば日本では０５０で始まる１１桁の番号が使用されることがある。
【００２２】
基地局装置２２は、アンテナを含む無線通信部と、移動通信網２５と通信するためのネットワーク通信部と、中央処理部と、記憶部と、を備えるコンピュータである。基地局装置２２は、移動局装置２１から通信信号及び制御信号を受信し、該通信信号及び制御信号に応じた所定の処理を行う。この処理のうちのひとつは、移動通信網２５に転送する処理である。また、移動通信網２５から通信信号及び制御信号を受信し、該通信信号及び制御信号に応じた所定の処理を行う。この処理のうちのひとつは、移動局装置２１に転送する処理である。また、基地局装置２２は、自ら制御信号を生成し、移動局装置２１又は移動通信網２５に対して送信する。
【００２３】
ＮＡＳ２３は、移動通信網２５と通信するための第１ネットワーク通信部と、ＩＰ通信網３３と通信するための第２ネットワーク通信部と、中央処理部と、記憶部と、を備えるコンピュータである。ＮＡＳ２３は、移動通信網２５から通信信号及び制御信号を受信し、該通信信号及び制御信号に応じた所定の処理を行う。この処理のうちのひとつは、ＩＰ通信網３３に転送する処理である。また、ＩＰ通信網３３から通信信号及び制御信号を受信し、該通信信号及び制御信号に応じた所定の処理を行う。この処理のうちのひとつは、移動通信網２５に転送する処理である。また、ＮＡＳ２３は、自ら制御信号を生成し、移動通信網２５又はＩＰ通信網３３に対して送信する。また、ＮＡＳ２３は移動局装置２１に対してＩＰアドレスを付与するための処理を行う。
【００２４】
さらにＮＡＳ２３は、移動体通信システム２とＩＰ通信システム３との間でプロキシサーバとしても機能している。プロキシサーバとしてのＮＡＳ２３の動作については後述する。
【００２５】
ロケーションデータベース２４は、移動通信網２５と通信するためのネットワーク通信部と、中央処理部と、データベースと、を備えるコンピュータである。ロケーションデータベース２４はそのデータベースにおいて、移動局装置２１のＩＰ電話番号及び移動局装置ＩＤと、後述する一斉呼び出しの単位となる一斉呼出単位装置としての基地局装置２２の移動体通信システム２内における位置を示す位置情報と、ＮＡＳ２３によって該移動局装置２１に対して付与されたＩＰアドレスと、を対応付けて記憶している。ここで記憶される基地局装置２２は、対応する移動局装置２１が在圏する基地局装置２２である。ただし、移動局装置２１の電源が入っていない場合や、全ての基地局装置２２と信号送受信が不可能な場所にある場合には、最後の位置情報がそのまま記憶される。位置情報として、ここでは基地局装置２２のＩＰアドレスを使用する。
【００２６】
なお、一斉呼出単位装置としてここでは基地局装置２２を使用しているが、例えば移動通信網２５に含まれる加入者階梯交換機や都道府県単位の交換機群が一斉呼出単位装置を形成することもある。このような場合には、ロケーションデータベース２４は、移動局装置２１のＩＰ電話番号及び移動局装置ＩＤと、一斉呼出単位装置としての交換機又は交換機群であって、移動局装置２１が在圏する基地局装置２２を収容する交換機又は交換機群の移動体通信システム２内における位置を示す位置情報と、ＮＡＳ２３によって該移動局装置２１に対して付与されたＩＰアドレスと、を対応付けて記憶する。
【００２７】
また、ロケーションデータベース２４は、記憶している項目の１つをキーとしてデータベースの検索要求を示す制御信号を他の装置から受信する。そしてロケーションデータベース２４は、該制御信号が受信された場合、該キー項目に対応付けて記憶している情報を、該他の装置に対して送信する。
【００２８】
移動通信網２５は、基地局装置２２と、ＮＡＳ２３と、ロケーションデータベース２４と、が相互に通信可能になるよう設計された通信網であり、具体的にはルータ網であってもよいし、交換網であってもよい。ここでは移動通信網２５はルータ網であるとして説明する。すなわち、基地局装置２２の移動通信網２５側インターフェイス（当該基地局装置２２のネットワーク通信部に含まれる）、ＮＡＳ２３の移動通信網２５側インターフェイス（当該ＮＡＳ２３の第１ネットワーク通信部に含まれる）、ロケーションデータベース２４にはＩＰアドレスがそれぞれ予め付与されている。本実施の形態では、これらのＩＰアドレスも移動体通信システム２内のプライベートアドレスであるとして説明する。
【００２９】
移動通信網２５は、基地局装置２２、ＮＡＳ２３、及びロケーションデータベース２４と接続され、これらの各装置の間で送受信される通信信号や制御信号を、各信号に含まれる宛先ＩＰアドレスに応じた装置に対してルーティングする。つまり、ある装置が送信した通信信号や制御信号に宛先として含まれるＩＰアドレスを付与されている装置に対して、該信号を転送する。
【００３０】
なお、移動通信網２５として交換網を使用する場合には、基地局装置２２、ＮＡＳ２３、ロケーションデータベース２４にはＩＰアドレスではなく移動体通信システム２内に固有のアドレスが付与され、該アドレスにより移動通信網２５内の通信が行われる。また、上記位置情報としても、ＩＰアドレスに代えて該固有のアドレスが使用される。
【００３１】
ここで、プロキシサーバとしてのＮＡＳ２３の動作について説明する。
【００３２】
移動局装置２１からＩＰ通信システム３に含まれる各装置への通信に関して、ＮＡＳ２３は、移動局装置２１から送信されるＩＰパケットの送信元アドレスをＮＡＳ２３自身のＩＰアドレスに置き換えて送信することにより、移動局装置２１についてのプロキシサーバとして機能する。
【００３３】
逆に、ＩＰ通信システム３に含まれる各装置から移動局装置２１への通信に関しては、まず、ＩＰ通信システム３に含まれる各装置は、移動局装置２１に向けてＩＰパケットを送信する場合、その宛先をＮＡＳ２３のＩＰアドレスとし、該ＩＰパケットにＩＰ電話番号を含めてＩＰパケットを生成する。このようにして生成されたＩＰパケットを受信したＮＡＳ２３は、その中に含まれるＩＰ電話番号を読み出し、読み出したＩＰ電話番号と対応付けてロケーションデータベース２４に記憶されるＩＰアドレスを読み出す。ＮＡＳ２３は、このようにして読み出したＩＰアドレスに対して、受信したＩＰパケットを送信することにより、移動局装置２１についてのプロキシサーバとして機能する。
【００３４】
次に、ＩＰ通信システム３について説明する。ＩＰ通信システム３は、ＳＩＰ(Session Initiation Protocol, シップ)サーバ３１と、通信装置３２と、ＩＰ通信網３３と、を含んで構成されている。ＩＰ通信システム３の例としては、インターネットが挙げられる。
【００３５】
ＩＰ通信網３３は、ＮＡＳ２３と、ＳＩＰサーバ３１と、通信装置３２と、が相互に通信可能になるよう設計された通信網であり、ここではルータ網であるとして説明する。すなわち、ＮＡＳ２３のＩＰ通信網３３側インターフェイス（当該ＮＡＳ２３の第２ネットワーク通信部に含まれる）、ＳＩＰサーバ３１、通信装置３２にはＩＰアドレスがそれぞれ予め付与されている。本実施の形態では、これらのＩＰアドレスはグローバルＩＰアドレスであるとして説明する。
【００３６】
ＩＰ通信網３３は、ＮＡＳ２３、ＳＩＰサーバ３１、通信装置３２と接続され、これらの各装置の間で送受信される通信信号や制御信号を、各信号に含まれる宛先ＩＰアドレスに応じた装置に対してルーティングする。つまり、ある装置が送信した通信信号や制御信号に宛先として含まれるＩＰアドレスを付与されている装置に対して、該信号を転送する。
【００３７】
ＳＩＰサーバ３１は、ＩＰ信網３３と通信するためのネットワーク通信部と、中央処理部と、記憶部と、を備えるコンピュータである。ＳＩＰサーバ３１は、自身の記憶部において、通信装置３２や移動局装置２１を含む複数のコンピュータに対して付与されたＩＰ電話番号を、各コンピュータのＩＰアドレスと対応付けて記憶する。ただし、あるコンピュータに付与されているＩＰアドレスがプライベートアドレスである場合には、該コンピュータのＩＰアドレスに代えて、該コンピュータについてプロキシサーバとして機能するサーバのＩＰアドレスを記憶する。また、後述するように、ＳＩＰサーバ３１はＩＰ通信の接続処理（セッション開始処理）を行う。このようにＳＩＰサーバ３１を利用してセッションを開始するためのプロトコルはＳＩＰと呼ばれる。
【００３８】
通信装置３２も、ＩＰ通信網３３と通信するためのネットワーク通信部と、中央処理部と、記憶部と、を備えるコンピュータである。通信装置３２は、通信先を指定して通信を開始することができるように構成されている。通信装置３２の例としては、パーソナルコンピュータやＰＤＡ(Personal Digital Assistance)などのコンピュータが挙げられる。
【００３９】
以下、通信システム１において、通信装置３２が移動局装置２１に対して発信することにより、通信装置３２と移動局装置２１の間でＩＰ通信を開始するための通信開始処理について説明する。
【００４０】
まず、通信装置３２は、移動局装置２１に対して上述のＩＰ通信要求信号を送信しようとする。しかし、通常は通信装置３２には移動局装置２１のＩＰアドレスが記憶されていない。このため通信装置３２は、ＳＩＰサーバ３１のＩＰアドレスに対してＩＰ通信要求信号を送信する。このＩＰ通信要求信号には、移動局装置２１のＩＰ電話番号と通信装置３２のＩＰアドレスとが含められる。
【００４１】
ＳＩＰサーバ３１は、受信したＩＰ通信要求信号に含まれるＩＰ電話番号と対応付けて自身の記憶部に記憶しているＩＰアドレスを読み出し、読み出したＩＰアドレスに対してＩＰ通信要求信号を転送する。このようにしてＳＩＰサーバ３１は、ＩＰアドレスが互いに不明な通信装置間のＩＰ通信を接続するための接続処理（セッション開始処理）を行っている。このＩＰアドレスは、この場合プロキシサーバとしてのＮＡＳ２３であるので、ＮＡＳ２３が転送されたＩＰ通信要求信号を受信する。
【００４２】
ＮＡＳ２３は、ＳＩＰサーバ３１から上記ＩＰ通信要求信号である制御信号を受信した場合、受信したＩＰ通信要求信号により指定されているＩＰ電話番号に対応付けてＩＰアドレスを記憶しているか否かを判断する。ＩＰアドレスを記憶していると判断した場合には、該ＩＰ通信要求信号を該記憶しているＩＰアドレスに対して転送する。この場合、基地局装置２２を介して転送されたＩＰ通信要求信号を受信した移動局装置２１は、通信装置３２のＩＰアドレスに対して、該ＩＰ通信要求信号に対するＩＰ通信要求応答信号を送信する。これ以降は、ＩＰ通信要求信号を送信した通信装置３２と移動局装置２１との間で通信開始処理が行われ、その後通信が開始される。
【００４３】
一方、ＩＰアドレスを記憶していないと判断した場合には、ＮＡＳ２３は、該ＩＰ通信要求信号により指定されているＩＰ電話番号に対応付けてロケーションデータベース２４に記憶されている基地局装置２２のＩＰアドレスと、移動局装置２１の移動局装置ＩＤと、を読み出す。具体的には、ＮＡＳ２３はロケーションデータベース２４のＩＰアドレスに対してＩＰ通信要求信号により指定されているＩＰ電話番号を送信する。このようにして送信されたＩＰ電話番号を受信したロケーションデータベース２４は、受信したＩＰ電話番号と対応付けて記憶している基地局装置２２のＩＰアドレスを読み出し、ＮＡＳ２３に対して送信する。
【００４４】
次にＮＡＳ２３は、ＩＰ通信要求信号に含まれるＩＰ電話番号により示される移動局装置２１に対し一斉呼び出しを行うための処理を行う。具体的には、ＮＡＳ２３は、読み出した基地局装置２２のＩＰアドレスに対して、読み出した移動局装置ＩＤを含む一斉呼出要求信号を送信する。この一斉呼出要求信号は、移動局装置ＩＤによって移動局装置２１を指定することによって、ＩＰ通信要求信号により指定されているＩＰ電話番号が付与されている移動局装置２１を一斉呼び出しの対象とすることを示す信号である。
【００４５】
基地局装置２２は、ＮＡＳ２３から一斉呼出要求信号を受信した場合、該一斉呼出要求信号に含まれる移動局装置ＩＤと、当該基地局装置２２の基地局装置ＩＤと、を含む一斉呼出信号であって、一斉送信であることを示すブロードキャストアドレスを宛先として含む一斉呼出信号を、電波の到達可能な範囲に存在する全ての移動局装置２１に対して一斉送信するための処理を行う。このようにして送信される一斉呼出信号は、制御信号のうち報知信号と呼ばれる信号の１つである。この報知信号は、基地局装置２２配下の移動局装置２１全てに対して信号送信をするために使用されるもので、上述のように宛先がブロードキャストアドレスとなる。
【００４６】
移動局装置２１は、基地局装置２２から送信された一斉呼出信号に自身の移動局装置ＩＤが含まれるか否かを判断する。そして含まれると判断した場合に、移動局装置２１は、受信される一斉呼出信号に含まれる基地局装置ＩＤに対して、所定の一斉呼出応答信号を送信する。該一斉呼出応答信号を受信した基地局装置２２は、移動局装置２１との間で所定の通信チャネル割当処理を行う。このようにして、まず基地局装置２２と移動局装置２１との間での無線通信が開始される。基地局装置２２は、ＮＡＳ２３に対して、移動局装置２１から一斉呼出応答があった旨を示す信号を送信する。
【００４７】
ＮＡＳ２３は、一斉呼出応答があった旨を示す信号を受信した場合に、移動局装置２１に対してＩＰアドレスを付与するためのＩＰアドレス付与処理を行う。移動局装置２１は、通常はＩＰアドレスが付与されておらず、ＩＰ通信を開始するときにＩＰアドレスが付与される。具体的には、ＮＡＳ２３は移動局装置２１との間でＰＰＰセッションを確立する。このようにＰＰＰセッションを確立することにより、ＮＡＳ２３は移動局装置２１に対してＩＰアドレスを付与する。
【００４８】
このようにして移動局装置２１にＩＰアドレスが付与されると、その後移動局装置２１はＩＰアドレスを宛先として使用して、ＩＰパケットの送受信を行うことができるようになる。そこでＮＡＳ２３は、移動局装置２１に対してＩＰアドレスを付与した後、該ＩＰアドレスに対して、受信していたＩＰ通信要求信号を、基地局装置２２を介して送信する。
【００４９】
移動局装置２１は、ＮＡＳ２３から送信されたＩＰ通信要求信号を受信したことで、自身に対して通信装置３２からＩＰ着信があったことを認識する。そして、該ＩＰ通信要求信号に対するＩＰ通信要求応答信号をＮＡＳ２３に対して送信する。そしてＮＡＳ２３は通信装置３２のＩＰアドレスに対して、受信したＩＰ通信要求応答信号の送信元アドレスを自身のＩＰ通信網３３側ＩＰアドレスに置き換えた上で、該ＩＰ通信要求応答信号を転送する。これは、ＮＡＳ２３のプロキシサーバとしての動作である。
【００５０】
以上のようにして、通信装置３２が移動局装置２１に対して発信することにより、通信装置３２と移動局装置２１の間でＩＰ通信を開始するための通信開始処理が行われる。
【００５１】
なお、通信装置３２と移動局装置２１の間でＩＰ通信を行う場合に、移動局装置２１と基地局装置２２との間では上記移動局装置ＩＤや上記基地局装置ＩＤを宛先としてＩＰパケットをカプセル化してなるパケットにより信号の送受信を行うこととしてもよいし、移動局装置２１と基地局装置２２との間でもＩＰアドレスを宛先として直接ＩＰパケットの送受信を行うこととしてもよい。ただしこの場合、基地局装置２２の無線インターフェイス（当該基地局装置２２の無線通信部に含まれる）にもＩＰアドレスが必要となる場合がある。
【００５２】
以上説明した通信開始処理及びそれに関わる処理を、通信システム１の処理のシーケンス図を参照しながら、より詳細に説明する。
【００５３】
図２は、移動局装置２１のＩＰ電話番号と、基地局装置２２の移動体通信システム２内における位置を示す位置情報と、をロケーションデータベース２４に対応付けて記憶するための処理（位置登録処理）のシーケンスを示している。まず、移動局装置２１がＣＲ(Configuration Request, 設定要求)を送信した場合（Ｓ１０１）、該ＣＲを受信した基地局装置２２はＣＭ（Configuration Message, 設定通知）を返送する（Ｓ１０２）とともに、当該基地局装置２２のＩＰアドレスと、ＣＲを送信した移動局装置２１のＩＰ電話番号と、を含む端末情報登録要求信号をロケーションデータベース２４に対して送信する（Ｓ１０３）。
【００５４】
ロケーションデータベース２４は、予め移動局装置２１のＩＰ電話番号及び移動局装置ＩＤと、基地局装置２２のＩＰアドレスと、を対応付けて記憶している。そこでロケーションデータベース２４は、受信した端末情報登録要求信号に含まれる移動局装置２１のＩＰ電話番号に対応付けて記憶されている基地局装置２２のＩＰアドレスを、受信した端末情報登録要求信号に含まれる基地局装置２２のＩＰアドレスにより更新する（Ｓ１０４）。更新が完了したら、ロケーションデータベース２４は、更新が完了した旨を示す端末情報登録応答信号を、基地局装置２２に対して送信する（Ｓ１０５）。
【００５５】
以上のようにして移動局装置２１の位置登録処理が行われ、一斉呼出処理などに使用される。
【００５６】
図３は、移動局装置２１のＩＰ電話番号と、移動局装置２１のＩＰアドレスと、をロケーションデータベース２４に対応付けて記憶するための処理（端末ＩＰ登録処理）及び記憶したＩＰアドレスを削除する処理（端末ＩＰ削除処理）のシーケンスを示している。まず、ＮＡＳ２３は移動局装置２１との間でＰＰＰセッションの確立を行う（Ｓ２０１）。この処理により、上述のように、移動局装置２１にはＩＰアドレスが付与される。
【００５７】
ＩＰアドレス付与された移動局装置２１は、ＮＡＳ２３に対してＩＰアドレス登録要求信号を定期的に送信し続ける（Ｓ２０２）。このＩＰアドレス登録要求信号には、当該移動局装置２１のＩＰ電話番号とＩＰアドレスとが含まれる。ＩＰアドレス登録要求信号を受信したＮＡＳ２３は、該ＩＰアドレス登録要求信号に含まれるＩＰ電話番号に対応付けて、該ＩＰアドレス登録要求信号に含まれるＩＰアドレスを記憶するよう要求することを示す端末ＩＰ登録要求信号を、ロケーションデータベース２４に対して送信する（Ｓ２０３）。
【００５８】
端末ＩＰ登録要求信号を受信したロケーションデータベース２４は、該端末ＩＰ登録要求信号により示されるＩＰ電話番号に対応付けて、該端末ＩＰ登録要求信号により示されるＩＰアドレスを記憶する（Ｓ２０４）。ただし、ロケーションデータベース２４が既に該移動局装置２１のＩＰ電話番号と対応付けてそのＩＰアドレスを記憶している場合には、既に記憶しているＩＰアドレスと、端末ＩＰ登録要求信号により示されるＩＰアドレスと、が同じであるか否かを判断する。この判断の結果、同じである場合には改めて記憶する処理は行わない。一方、異なる場合には、記憶しているＩＰアドレスを端末ＩＰ登録要求信号により示されるＩＰアドレスにより更新する。そして、このようにしてＩＰアドレスを記憶することにより、ＮＡＳ２３と移動局装置２１の間にＰＰＰセッションが確立済みであることを記憶する（Ｓ２０５）。勿論、例えばＰＰＰセッション確立済みフラグを用意し、ＩＰアドレスを記憶すると同時にＰＰＰセッション確立済みフラグをＯＮにすることにより、ＮＡＳ２３と移動局装置２１の間にＰＰＰセッションが確立済みであることを記憶することとしてもよい。
【００５９】
以上の処理が行われた後、移動局装置２１とＮＡＳ２３の間のＰＰＰセッション接続が切断されたり、移動局装置２１の電源が断たれたりすることがある（Ｓ２０６）。このような場合、移動局装置２１はＮＡＳ２３に対してＩＰアドレス登録要求信号を送信するのを中止する。すると、ＮＡＳ２３は、定期的に受信されるはずのＩＰアドレス登録要求信号が受信されないことを検出する（Ｓ２０７，Ｓ２０８）。より具体的には、受信タイムアウトを検出する。受信タイムアウトを検出すると、ＮＡＳ２３は、受信タイムアウトを検出した移動局装置２１のＩＰ電話番号に対応付けて記憶している該移動局装置２１のＩＰアドレスを削除するよう要求することを示す端末ＩＰ削除要求信号を、ロケーションデータベース２４に対して送信する（Ｓ２０９）。
【００６０】
端末ＩＰ削除要求信号を受信したロケーションデータベース２４は、該端末ＩＰ削除要求信号により示されるＩＰ電話番号に対応付けて記憶している移動局装置２１のＩＰアドレスを削除する（Ｓ２１０）。そして、このようにしてＩＰアドレスを削除することにより、ＮＡＳ２３と移動局装置２１の間にＰＰＰセッションが確立されていないことを記憶する（Ｓ２１１）。ＰＰＰセッション確立済みフラグを用意する場合には、ＩＰアドレスを記憶すると同時にＰＰＰセッション確立済みフラグをＯＦＦにする。
【００６１】
以上のようにして、移動局装置２１のＩＰ電話番号と、移動局装置２１のＩＰアドレスと、をロケーションデータベース２４に対応付けて記憶するための端末ＩＰ登録処理及び記憶したＩＰアドレスを削除する端末ＩＰ削除処理が行われ、ＰＰＰセッション接続の有無の判定及び移動局装置２１に対する信号送信の宛先アドレス取得などに使用される。
【００６２】
図４は、移動局装置２１とＮＡＳ２３が既にＰＰＰ接続を行っている場合に、通信装置３２が移動局装置２１に対してＩＰ通信要求信号を送信した場合の処理（ＩＰ着信処理）のシーケンスである。なお、各図面においてＳＩＰ（ＡＢＣ）と示す信号は、ＳＩＰにより括弧内に示すＡＢＣ信号が送信されたことを示している。
【００６３】
また以下では、ＲＴＰよりＩＰ通信を行うものとして説明する。ＲＴＰはリアルタイム転送プロトコル(Realtime Transport Protocol)の略であり、ＶｏＩＰやストリーミングなど、リアルタイムに送受信する必要がある信号を、リアルタイムに送信するためのプロトコルである。
【００６４】
まず通信装置３２は、移動局装置２１とのＩＰ通信の開始を要求することを示すＩＰ通信要求信号であるＩＮＶＩＴＥ信号を、ＳＩＰサーバ３１のＩＰアドレス（例えば１９２．１６８．２０．１）に対して送信する（Ｓ３００）。このＩＮＶＩＴＥ信号には、通信開始要求先として、移動局装置２１のＩＰ電話番号(例えば０４５１２３０１０１)が含まれる。
【００６５】
通信装置３２からＩＮＶＩＴＥ信号を受信したＳＩＰサーバ３１は、該ＩＮＶＩＴＥ信号に含まれるＩＰ電話番号に対応付けて記憶しているＩＰアドレス（例えば１９２．１６８．１０．１）を読み出し、読み出したＩＰアドレスに対して、受信したＩＮＶＩＴＥ信号を転送する（Ｓ３０１）。この場合、このＩＰアドレスはＮＡＳ２３に付与されているものとなる。
【００６６】
ＩＮＶＩＴＥ信号を受信したＮＡＳ２３は、ＩＰ通信要求信号を受信し、その処理を継続していることを示す１００  ｔｒｙｉｎｇ信号を、ＳＩＰサーバ３１に対して送信する（Ｓ３０２）。こうして送信された１００  ｔｒｙｉｎｇ信号を受信したＳＩＰサーバ３１は、該１００  ｔｒｙｉｎｇ信号を通信装置３２に対して送信する（Ｓ３０３）。この１００  ｔｒｙｉｎｇ信号を受信した通信装置３２は、次の信号が受信されるまで待機する。
【００６７】
また、ＮＡＳ２３は、ロケーションデータベース２４に対し、ＩＮＶＩＴＥ信号に含まれるＩＰ電話番号に対応付けて、該ＩＰ電話番号により示される移動局装置２１のＩＰアドレスが記憶されているか否か、すなわち移動局装置２１とＮＡＳ２３の間でＰＰＰ接続がされているか否かを問い合わせるためのＰＰＰ接続問合要求信号を送信する（Ｓ３０４）。こうして送信されたＰＰＰ接続問合要求信号を受信したロケーションデータベース２４は、ここでは移動局装置２１とＮＡＳ２３の間でＰＰＰ接続がされていることを示すＰＰＰ接続問合応答信号を返送する（Ｓ３０５）。このＰＰＰ接続問合応答信号には、移動局装置２１に付与されているＩＰアドレスが含められる。
【００６８】
移動局装置２１とＮＡＳ２３の間でＰＰＰ接続がされていることを示すＰＰＰ接続問合要求信号を受信したＮＡＳ２３は、Ｓ３０１において受信したＩＮＶＩＴＥ信号をＰＰＰ接続問合応答信号に含まれる移動局装置２１のＩＰアドレスに対して送信する（Ｓ３０６）。このＩＮＶＩＴＥ信号を受信した移動局装置２１は、まず１００  ｔｒｙｉｎｇ信号をＮＡＳ２３に対して送信する（Ｓ３０７）。続いて移動局装置２１は、ユーザを呼び出すための処理、例えばリンガを鳴動させる処理、を行い、ユーザを呼び出しつつその応答を待機していることを示す１８０  ｒｉｎｇｉｎｇ信号を、ＮＡＳ２３のＩＰアドレスに対して送信する（Ｓ３０８）。ＮＡＳ２３は、受信した１８０  ｒｉｎｇｉｎｇ信号をＳＩＰサーバ３１に対して転送し（Ｓ３０９）、さらにＳＩＰサーバ３１は通信装置３２に対して転送する（Ｓ３１０）。この過程において、ＮＡＳ２３とＳＩＰサーバ３１はそれぞれプロキシサーバとしても機能する。
【００６９】
そして、ユーザが応答した場合、移動局装置２１は、ユーザから応答があり、ＩＰ通信を行う準備ができた旨を示す２００信号を、上記１８０  ｒｉｎｇｉｎｇ信号と同様に、ＮＡＳ２３、ＳＩＰサーバ３１を介して、通信装置３２に対して送信する（Ｓ３１１，Ｓ３１２，Ｓ３１３）。通信装置３２は、受信した２００信号に対して、ＩＮＶＩＴＥ信号の応答を確認した旨を示すＡＣＫ信号を、ＳＩＰサーバ３１、ＮＡＳ２３を介して移動局装置２１に対して送信する（Ｓ３１４，Ｓ３１５，Ｓ３１６）。この過程においても、ＮＡＳ２３とＳＩＰサーバ３１はそれぞれプロキシサーバとしても機能する。
【００７０】
この２００信号及びＡＣＫ信号の送受信により、通信装置３２と移動局装置２１との間でＲＴＰセッションが開始される。そして通信装置３２と移動局装置２１は、開始したＲＴＰセッション上で、ＲＴＰによる通信（ＶｏＩＰ、ストリーミングなど）を行う（Ｓ３１７）。
【００７１】
以上のようにして、移動局装置２１とＮＡＳ２３が既にＰＰＰ接続を行っている場合に、通信装置３２が移動局装置２１に対してＩＰ通信要求信号を送信した場合のＩＰ着信処理が行われる。
【００７２】
図５及び図６は、移動局装置２１とＮＡＳ２３がＰＰＰ接続を行っていない場合において、通信装置３２が移動局装置２１に対してＩＰ通信要求信号を送信したことを契機としてＰＰＰ接続を開始するための処理（ＰＰＰ接続処理）及びＩＰ通信を開始するための処理（ＩＰ着信処理）のシーケンスである。
【００７３】
まず図５を参照しながら説明する。通信装置３２は、移動局装置２１とのＩＰ通信の開始を要求することを示すＩＰ通信要求信号であるＩＮＶＩＴＥ信号を、ＳＩＰサーバ３１のＩＰアドレス（例えば１９２．１６８．２０．１）に対して送信する（Ｓ３００）。この後Ｓ３０４までの処理は、図４で説明したＩＰ着信処理と同様である。
【００７４】
Ｓ３０４において送信されたＰＰＰ接続問合要求信号を受信したロケーションデータベース２４は、ここでは移動局装置２１とＮＡＳ２３の間でＰＰＰ接続がされていないことを示すＰＰＰ接続問合応答信号を返送する（Ｓ３５５）。
【００７５】
ＰＰＰ接続問合応答信号を受信したＮＡＳ２３は、ロケーションデータベース２４に対し、ＩＮＶＩＴＥ信号に含まれるＩＰ電話番号に対応付けて記憶される一斉呼出単位装置（ここでは基基地局装置２２）の位置情報（ここではＩＰアドレス）を要求することを示す番号問合要求信号を送信する（Ｓ３５６）。番号問合要求信号を受信したロケーションデータベース２４は、データベースに記憶する該位置情報であるＩＰアドレスを読み出し、番号問合応答信号に含めてＮＡＳ２３に送信する（Ｓ３５７）。
【００７６】
ＮＡＳ２３は、受信した番号問合応答信号に含まれるＩＰアドレスに対して、ＩＮＶＩＴＥ信号に含まれるＩＰ電話番号により示される移動局装置２１に対する一斉呼び出しを行うよう要求するための一斉呼出要求信号を送信する（Ｓ３５８）。この一斉呼出要求信号を受信した基地局装置２２は、要求された移動局装置２１を一斉呼び出しの対象とすることを示す一斉呼出信号を送信する（Ｓ３５９）。
【００７７】
移動局装置２１は、一斉呼出信号を受信し、自身に対する一斉呼び出しであるか否かを判断する。自身に対する一斉呼び出しでないと判断した場合には受信した一斉呼出信号を破棄し、自身に対する一斉呼び出しであると判断した場合には一斉呼出応答信号を返送する。そして、基地局装置２２と移動局装置２１の間で通信チャネル割当処理が行われ（Ｓ３６０）、基地局装置２２と移動局装置２１の間での通信が開始される。
【００７８】
このようにして基地局装置２２と移動局装置２１の間での通信が開始されると、移動局装置２１は、ＮＡＳ２３との間でＰＰＰセッションを開始する（Ｓ２０１）。以降は図３で説明した端末ＩＰ登録処理によって、移動局装置２１のＩＰ電話番号と、移動局装置２１のＩＰアドレスと、がロケーションデータベース２４に対応付けて記憶される（Ｓ２０２乃至Ｓ２０５）。
【００７９】
次に、図６を参照しながら説明する。同図に示すように、端末ＩＰ登録処理が登録された後の処理は、図４で説明したＩＰ着信処理と同様な処理により、通信装置３２と移動局装置２１との間でＲＴＰセッションが開始される（Ｓ３０６乃至Ｓ３１７）。
【００８０】
ＩＰ通信システム１では、以上のようにして、移動局装置２１とＮＡＳ２３がＰＰＰ接続を行っていない場合においても、通信装置３２が移動局装置２１に対してＩＰ通信要求信号を送信した場合にＰＰＰ接続を開始し、ＩＰ着信処理を行っている。
【００８１】
図７は、移動局装置２１とＮＡＳ２３がＰＰＰ接続を行っていない場合において、通信装置３２が移動局装置２１に対してＩＰ通信要求信号を送信したことを契機としてＰＰＰ接続を開始するための処理（ＰＰＰ接続処理）を行うものの、ＰＰＰ接続が開始できない場合の処理のシーケンスである。
【００８２】
一斉呼び出しを実施するまでの処理は、図５について説明したＳ３００乃至Ｓ３０４、及びＳ３５５乃至Ｓ３５９の処理と同様である。図５のＰＰＰ接続処理では、Ｓ３５９で送信した一斉呼出信号に対して移動局装置２１が一斉呼出応答信号を返送したが、ここでは移動局装置２１の電源が入っていないために、移動局装置２１は一斉呼出信号を受信できず、基地局装置２２が一斉呼出応答信号を受信することはない。このため、通信チャネル割当処理（Ｓ３６０）やＰＰＰセッション接続処理（Ｓ３６１）が行われることもない。一方、ＮＡＳ２３はＳ３５８で一斉呼出要求信号を送信してからの時間の経過を測定しており、所定時間を経過してもＩＰアドレス登録要求信号（Ｓ２０２）が受信されないとき（Ｓ３７０）は、移動局装置２１に対する着信応答待ち時間がタイムアウトしたと判断する（Ｓ３７１）。この場合、ＮＡＳ２３はＳＩＰサーバ３１に対して、移動局装置２１との通信を開始することができないことを示す４８０  Ｔｅｍｐｏｒａｒｉｌｙ  ｎｏｔ  ａｖａｉｌａｂｌｅ信号を送信する（Ｓ３７２）。ＳＩＰサーバ３１はこの信号を通信装置３２に転送し（Ｓ３７３）、通信装置３２は移動局装置２１との通信を開始することができないことを認識する。通信装置３２は、４８０  Ｔｅｍｐｏｒａｒｉｌｙ  ｎｏｔ  ａｖａｉｌａｂｌｅ信号に対する応答であるＡＣＫ信号を、ＳＩＰサーバ３１を介してＮＡＳ２３に対して送信し（Ｓ３７４，Ｓ３７５）、ＩＰ着信処理を終了する。
【００８３】
以上のようにして、ＰＰＰ接続を開始するための処理（ＰＰＰ接続処理）を行うものの、ＰＰＰ接続が開始できない場合に、ＩＰ着信処理を終了する処理が行われる。
【００８４】
図８は、存在しない移動局装置２１のＩＰ電話番号に対して、通信装置３２がＩＰ通信要求信号を送信した場合の処理のシーケンスである。
【００８５】
ＮＡＳ２３が、ロケーションデータベース２４に対し、ＩＮＶＩＴＥ信号に含まれるＩＰ電話番号により示される移動局装置２１がＰＰＰ接続を既に行っているか否かを問い合わせるためのＰＰＰ接続問合要求信号を送信するまでの処理は、図４について説明したＩＰ着信処理と同様である（Ｓ３００乃至Ｓ３０４）。ＰＰＰ接続問合要求信号を受信したロケーションデータベース２４は、ここではＰＰＰ接続問合要求信号によりＰＰＰ接続の有無を問い合わせられた移動局装置２１に関する情報を記憶していない。このため、ロケーションデータベース２４は、問い合わせられた移動局装置２１に関する情報を記憶していない旨を示すＰＰＰ接続問合応答信号を返送する（Ｓ３９５）。
【００８６】
こうして返送されたＰＰＰ接続問合応答信号を受信したＮＡＳ２３は、図７について説明した処理と同様な処理により、通信装置３２に対して、移動局装置２１との通信を開始することができない旨を通知する（Ｓ３７２，Ｓ３７３）。すると、通信装置３２は、図７について説明した処理と同様な処理により、ＩＰ着信処理を終了する（Ｓ３７４，Ｓ３７５）。
【００８７】
以上のようにして、存在しない移動局装置２１のＩＰ電話番号に対して、通信装置３２がＩＰ通信要求信号を送信した場合に、ＩＰ着信処理を終了する処理が行われる。
【００８８】
以上説明したように、本実施の形態では、予めＩＰアドレスが付与されていない移動局装置２１に対してＩＰ着信があった場合に、該移動局装置２１にＩＰアドレスを付与することができる。このため、移動局装置２１はＩＰ通信を開始することができる。
【００８９】
また、従来の移動体通信システムでは、同時に２つの通信を行うことはできない。このため、新たな回線交換着信やパケット着信があった場合、移動局装置２１が通信中であるか否かを判断し、通信中であれば、新たな着信は切断され、通信中でなければ一斉呼び出しが行われる。これに対し、ＩＰ通信は移動局装置２１が行う通信の上位層で行われる通信であるため、移動局装置２１が回線交換通信中又はパケット通信中であるか否かに関わらず、新たなＩＰ着信を行うことが適切である。本実施の形態では、移動局装置２１にＩＰアドレスが付与されているか否かを判断することにより、移動局装置２１が回線交換通信中又はパケット通信中である場合を判別している。そして、移動局装置２１が回線交換通信中又はパケット通信中である場合には既に付与されているＩＰアドレスに対しＩＰ着信を行い、回線交換通信中又はパケット通信中でない場合には一斉呼び出しを行うようにしているので、回線交換通信中又はパケット通信中であるか否かに関わらず、移動局装置２１は新たなＩＰ通信を開始することができる。
【００９０】
さらに、本実施の形態では、一斉呼出単位装置（例えば基地局装置２２や交換機など。）の位置情報（例えば、一斉呼出単位装置のＩＰアドレスや一斉呼出単位装置に付与された識別番号など。）を、移動局装置２１の識別情報（例えばＩＰ電話番号など。）と対応付けて記憶しているので、ＮＡＳ２３は、識別情報と対応付けて記憶される位置情報により示される位置に対して一斉呼び出し要求信号を送信することで、該識別情報により示される移動局装置２１の一斉呼び出しを行うことができる。
【００９１】
なお、本発明は上記実施の形態に限定されるものではない。
【００９２】
例えば、通信装置３２は、ＩＰ通信を行う装置でなくともよい。この場合、ＩＰ通信網３３において、通信装置３２の使用するプロトコルをＩＰに変換するためのゲートウェイサーバを設置することが望ましい。具体的には、通信装置３２が固定電話である場合などが相当する。
【図面の簡単な説明】
【００９３】
【図１】本発明の実施の形態に係る通信システムのシステム構成図である。
【図２】本発明の実施の形態に係る通信システムの処理のシーケンス図である。
【図３】本発明の実施の形態に係る通信システムの処理のシーケンス図である。
【図４】本発明の実施の形態に係る通信システムの処理のシーケンス図である。
【図５】本発明の実施の形態に係る通信システムの処理のシーケンス図である。
【図６】本発明の実施の形態に係る通信システムの処理のシーケンス図である。
【図７】本発明の実施の形態に係る通信システムの処理のシーケンス図である。
【図８】本発明の実施の形態に係る通信システムの処理のシーケンス図である。
【符号の説明】
【００９４】
１  通信システム、２  移動体通信システム、３  ＩＰ通信システム、２１  移動局装置、２２基地局装置、２３  ＮＡＳ、２４  ロケーションデータベース、２５  移動通信網、３１  ＳＩＰサーバ、３２  通信装置、３３  ＩＰ通信網。
【図１】
2006279899.tif 000003
【図２】
2006279899.tif 000004
【図３】
2006279899.tif 000005
【図４】
2006279899.tif 000006
【図５】
2006279899.tif 000007
【図６】
2006279899.tif 000008
【図７】
2006279899.tif 000009
【図８】
2006279899.tif 000010